(57)【要約】【課題】所定位置まで閉じ操作すると戸パネルを自重によって閉じ操作できるうえ、戸パネルが乱暴に閉じ操作されるような場合でも、戸パネルが戸枠に衝突するのを防止して、衝突騒音の発生や指詰を防止できる引戸の閉じ支援装置を提供する。【解決手段】戸パネル１と、戸パネル１をランナー５・６を介して吊り下げ支持するガイドレール２と、閉じ操作力に抗して戸パネル１を制動するエアーダンパー７とを備えている。ガイドレール２の前後に設けたレール１１・１２の閉じ端に下り傾斜面１１ａ・１２ａを設けて、戸パネル１を自重で閉じ移動できるようにする。戸パネル１の閉じ力をエアーダンパー７で制動して戸パネル１をゆっくりと閉じ移動させる。【選択図】図１
2006161538.tif 000002
【特許請求の範囲】
【請求項１】
戸パネル（１）と、戸パネル（１）をランナー（５・６）を介して吊り下げ支持するガイドレール（２）と、閉じ操作力に抗して戸パネル（１）を制動するエアーダンパー（７）とを備えており、
ガイドレール（２）にランナー（５・６）を転動案内するレール（１１・１２）が設けられ、レール（１１・１２）の閉じ端に、ランナー（５・６）を閉じ端へ向かって転動案内する下り傾斜面（１１ａ・１２ａ）が設けられており、
ランナー（５・６）が開放位置側から下り傾斜面（１１ａ・１２ａ）に達した状態において、エアーダンパー（７）が作動し始めるように設定してある引戸の閉じ支援装置。
【請求項２】
戸パネル（１）の上端両側が、第１・第２の両ランナー（５・６）で吊持されており、
ガイドレール（２）の前後に第１ランナー（５）を移行案内する第１レール（１１）と、第２ランナー（６）を移行案内する第２レール（１２）とが分離配置されており、
第１ランナー（５）が第１レール（１１）で、第２ランナー（６）が第２レール（１２）で、それぞれ片持ち状に吊持してある請求項１記載の引戸の閉じ支援装置。
【請求項３】
戸パネル（１）の上端両側が、第１・第２の両ランナー（５・６）で吊持されており、
第１ランナー（５）のローラー（１９）と、第２ランナー（６）のローラー（１９）とは、それぞれの転動面が前後に位置ずれする状態で設けられており、
ガイドレール（２）の長手方向に沿って、第１ランナー（５）を移行案内する前後一対の第１レール（１１）と、第２ランナー（６）を移行案内する前後一対の第２レール（１２）とが隣接配置されており、
第１ランナー（５）が第１レール（１１）で、第２ランナー（６）が第２レール（１２）で、それぞれ両持ち状に吊持してある請求項１記載の引戸の閉じ支援装置。
【請求項４】
エアーダンパー（７）のシリンダー（２５）の両側に設けたスライドブロック（３３・３４）が、ガイドレール（２）の内面に設けた補助レール（１３）で往復スライド可能に案内支持されており、
ピストンロッド（２７）の突端に磁石（３９）と鉄片（３７）の一方が装着され、ガイドレール（２）の閉じ端寄りに磁石（３９）と鉄片（３７）の残る一方が配置してある請求項２または３記載の引戸の閉じ支援装置。
【請求項５】
第１ランナー（５）および第２ランナー（６）のそれぞれが、ランナー台（１５）と、ランナー台（１５）に固定したローラー軸（１８）で軸支されるローラー（１９）とを備えており、
第２ランナー（６）が、エアーダンパー（７）のシリンダー（２５）の端部に固定した連結枠（２９）に、上下動可能に連結してある請求項２または３または４記載の引戸の閉じ支援装置。
【請求項６】
第１ランナー（５）および第２ランナー（６）のそれぞれが、ランナー台（１５）と、ランナー台（１５）に固定したローラー軸（１８）で遊転自在に軸支されるローラー（１９）とで構成してある請求項２から５のいずれかに記載の引戸の閉じ支援装置。
【発明の詳細な説明】
【技術分野】
【０００１】
本発明は、引戸の戸パネルを閉じ端寄りにおいて人手を要することなく閉じ操作できる引戸の閉じ支援装置に関する。
【背景技術】
【０００２】
戸パネルを開閉ストロークの閉じ端寄りにおいて閉じ支援することは、特許文献１に公知である。そこでは、引っ張りばねで閉じ方向へ移動付勢されるスライダーが戸枠に設けてあり、戸パネルを所定位置まで閉じ操作すると、以後は、戸パネルとスライダーとが連結されて、戸パネルを引っ張りばねの付勢力で閉じ操作できる。スライダーは連結待機姿勢と作動姿勢とに変位でき、戸パネルを開放操作するとき、引っ張りばねの弾性に逆らいながら連結ピンで同行移動操作されて、先の所定位置において連結待機姿勢に保持される。
【０００３】
本発明では、戸パネルを閉じ操作するための動力源として傾斜レールを使用するが、このように傾斜レールを利用した閉じ機構は特許文献２に公知である。これは、自閉式の引戸であって、閉じ端側へ向かって下り傾斜するガイドレールで吊車を移行案内することにより、戸パネルを任意の開放位置から閉じ位置へ戻すことができる。なお、この種の自閉引戸は、任意の開放位置において戸パネルを位置保持できないので、例えば病室の引戸や、病院の廊下を仕切る引戸などに用途が限られている。
【０００４】
【特許文献１】特開２００３−２１４０２３号公報（段落番号００３４、図１０）
【特許文献２】特開２００１−１８２４２５号公報（段落番号００１１、図２）
【発明の開示】
【発明が解決しようとする課題】
【０００５】
特許文献１の閉じ支援装置は、戸パネルを手動によって所定位置まで閉じ操作すると、以後は引っ張りばねの付勢力で自動的に閉じ操作できるので、戸パネルを最後まで閉じ操作する手間を省くことができる。しかも、閉じ端寄りの所定範囲を越えて戸パネルを開放操作すると、戸パネルを任意の開放位置に位置保持できるので一般住宅用の引戸や、ウォークインクロゼットの引戸などに使用できる。
【０００６】
しかし、戸パネルを引っ張りばねで閉じ操作するので、閉じ位置へ向かって加速された戸パネルが戸枠に衝突するのを避けられない。例えば、戸パネルを勢いよく閉めるような場合には、引っ張りばねの付勢力に閉じ操作力が加わるため、戸パネルが戸枠に衝突して跳ね返るのはもちろん、大きな衝突音を生じる。うっかりして戸パネルと戸枠との間に指先を挟んで負傷することもある。
【０００７】
ガイドレールと戸パネルとの間にスライダーやばねなどを設ける必要があるので、閉じ支援機構やレール構造が複雑になる。戸パネルの大きさや重量が異なるごとにばね力を調整し、あるいはばねを交換する必要があるので、施工時の調整作業に余分な手間が掛かる。スライダーが連結待機姿勢、あるいは作動姿勢に切り換わるとき耳障りな接当音を生じるうえ、戸パネルを開放するとき、ばねの張力による抵抗感があり、通常の引戸に比べて操作の円滑さに問題がある。戸パネルを乱暴に開閉するような場合に、ばねが周辺の構造物に絡まるおそれもある。
【０００８】
特許文献２の自閉引戸では、ガイドレールの全体を傾斜させて、吊車を閉じ端側へ向かって走行案内する。そのため、ガイドレールや吊車などを収容するレール台が大形化するのを避けられず、通常サイズの戸パネルを支持するとき、戸枠の開口寸法が特殊化するのを避けられない。場合によってはガイドレールの傾斜角度や、ダンパーの制動力を戸パネルの重量に応じて調整変更する必要があり、施工が煩雑になりやすい。
【０００９】
本発明の目的は、戸パネルを所定位置まで閉じ操作すると、戸パネルを自重によって閉じ操作できるうえ、たとえ戸パネルが乱暴に閉じ操作されるような場合であっても、戸パネルが戸枠に衝突するのを防止して、衝突騒音の発生を確実に防止でき、さらに、パネル側端面に指先をあてがったまま戸パネルを閉じ操作するような場合でも、指先を負傷することのない安全性に優れた引戸の閉じ支援装置を提供することにある。本発明の目的は、構造が簡単であるにもかかわらず、戸パネルを確実に閉じ支援できるうえ、戸パネルの重量が異なる場合にも戸パネルの閉じ操作力を調整する必要がなく、その分だけ施工の手間を軽減できる引戸の閉じ支援装置を提供することにある。
【課題を解決するための手段】
【００１０】
本発明の閉じ支援装置は、戸パネル１と、戸パネル１をランナー５・６を介して吊り下げ支持するガイドレール２と、閉じ操作力に抗して戸パネル１を制動するエアーダンパー７とを備えている。ガイドレール２にランナー５・６を転動案内するレール１１・１２が設けられる。レール１１・１２の閉じ端には、ランナー５・６を閉じ端へ向かって転動案内する下り傾斜面１１ａ・１２ａを設ける。以て、ランナー５・６が開放位置側から下り傾斜面１１ａ・１２ａに達した状態において、エアーダンパー７が作動し始めるように設定する。
【００１１】
戸パネル１の上端両側を、第１・第２の両ランナー５・６で吊持する。ガイドレール２の前後に第１ランナー５を移行案内する第１レール１１と、第２ランナー６を移行案内する第２レール１２とを分離配置する。第１ランナー５は第１レール１１で、第２ランナー６は第２レール１２で、それぞれ片持ち状に吊持する。
【００１２】
戸パネル１の上端両側を、第１・第２の両ランナー５・６で吊持する。第１ランナー５のローラー１９と、第２ランナー６のローラー１９とは、それぞれの転動面が前後に位置ずれする状態で設けてある。ガイドレール２の長手方向に沿って、第１ランナー５を移行案内する前後一対の第１レール１１と、第２ランナー６を移行案内する前後一対の第２レール１２とを隣接配置する。以て、第１ランナー５を第１レール１１で、第２ランナー６を第２レール１２で、それぞれ両持ち状に吊持する。
【００１３】
エアーダンパー７のシリンダー２５の両側に設けたスライドブロック３３・３４を、ガイドレール２の内面に設けた補助レール１３で往復スライド可能に案内支持する。ピストンロッド２７の突端に磁石３９と鉄片３７の一方を装着し、ガイドレール２の閉じ端寄りに磁石３９と鉄片３７の残る一方を配置する。
【００１４】
第１ランナー５および第２ランナー６のそれぞれが、ランナー台１５と、ランナー台１５に固定したローラー軸１８で軸支されるローラー１９とを備えている。第２ランナー６は、エアーダンパー７のシリンダー２５の端部に固定した連結枠２９に、上下動可能に連結する。
【００１５】
第１ランナー５および第２ランナー６のそれぞれを、ランナー台１５と、ランナー台１５に固定したローラー軸１８で遊転自在に軸支されるローラー１９とで構成する。
【発明の効果】
【００１６】
本発明では、ランナー５・６を案内するレール１１・１２の閉じ端に下り傾斜面１１ａ・１２ａを設けて、戸パネル１が自重で閉じ移動できるようにする一方で、同時にエアーダンパー７で戸パネル１の閉じ動作を制動するので、戸パネル１をゆっくりと、しかし確実に閉じることができる。したがって、本発明の閉じ支援装置によれば、戸パネル１を閉じ位置まで操作する手間を省きながら、その跳ね返りを確実に防止でき、たとえ戸パネル１が乱暴に閉じ操作されるような場合でも、戸パネル１が戸枠に衝突するのを防止して、衝突騒音の発生を確実に防止できる。誤ってパネル側端面に指先をあてがったまま戸パネル１を閉じ操作したとしても指先を負傷することがなく、戸パネル１を安全に閉じることができる。
【００１７】
戸パネル１を下り傾斜面１１ａ・１２ａに沿って自重で閉じ移動できるようにするので、例えばスライダーやばねを使用して戸パネルを閉じ操作する従来の閉じ支援装置や、レール全体が傾斜してある自閉引戸などに比べて、閉じ支援装置の全体構造を著しく簡素化でき、その分だけ閉じ支援装置の製作コストを削減できる。さらに、戸パネル１の重量が異なる場合にも、戸パネル１の閉じ操作力を調整する必要がないので、施工時の調整の手間を省くことができるうえ、構造が簡単な分だけ、閉じ支援装置の動作の信頼性を向上できる利点もある。
【００１８】
戸パネル１を開放操作するときは、ランナー５・６が下り傾斜面１１ａ・１２ａを転動しながら乗り越えるのに必要な操作力を加えればよいので、戸パネルをばねで閉じ操作する従来の閉じ支援装置に比べて、戸パネル１をより軽快に、しかも円滑に開放操作できる。下り傾斜面１１ａ・１２ａを乗り越えた後は、戸パネル１を通常の引戸と同様に自由に開閉できるうえ、任意の開放位置において停止保持できるので、閉じ支援装置の適用対象を拡大できる。戸パネル１の開閉時に、接当音や摺接音などの異音が発生することもない。
【００１９】
ガイドレール２の前後に第１レール１１と第２レール１２とを分離配置し、戸パネル１を吊持する第１・第２の両ランナー５・６を、先の各レール１１・１２でそれぞれ片持ち状に吊持すると、ガイドレール２が上下方向に大形化するのを防止でき、壁開口や仕切り開口の上下寸法を定常寸法に収めることができる。これにより、定寸化された既製の戸パネル１を問題なく使用でき、戸パネル１やガイドレール２などの全体コストが少なくて済む引戸の閉じ支援装置を得ることができる。
【００２０】
ガイドレール２の長手方向に沿って、前後一対の第１レール１１と前後一対の第２レール１２とを隣接配置し、第１ランナー５のローラー１９と、第２ランナー６のローラー１９とが、それぞれの転動面が前後に位置ずれする状態で設けてあると、第１ランナー５を第１レール１１で、第２ランナー６を第２レール１２で、それぞれ両持ち状に吊持できるので、戸パネル１を開閉するとき両ランナー５・６が蛇行するのを確実に防止して、戸パネル１の開閉を軽快に行える。ランナー構造を簡素化できる分だけコストを削減できる。
【００２１】
エアーダンパー７のシリンダー２５の両側に設けたスライドブロック３３・３４を、ガイドレール２の内面に設けた補助レール１３で往復スライド可能に案内支持すると、シリンダー２５が軸心回りに回転するのを確実に防止できるので、ピストンロッド２７とガイドレール２との間に設けた鉄片３７と磁石３９とを、常に確実に接当し吸着させることができる。これにより鉄片３７と磁石３９との吸着面積を常に一定にできるので、戸パネル１を開放操作するときの鉄片３７と磁石３９との分離タイミングのばらつきを解消できる。
【００２２】
ランナー台１５、ローラー軸１８、一対のローラー１９などで、第１ランナー５および第２ランナー６を構成すると、戸パネル１の重量負荷を一対のローラー１９で分担支持できるので、ローラー径を大きくする必要がなく、その分だけ第１・第２の両ランナー５・６を小形化できる。第２ランナー６のランナー台１５を、エアーダンパー７の端部に設けた連結枠２９に上下動可能に連結するのは、第１・第２の両ランナー５・６が下り傾斜面１１ａ・１２ａを昇降するときの上下動作を、ランナー台１５と連結枠２９との間で吸収して、エアーダンパー７が上下に動くのを防止するためである。
【００２３】
第１ランナー５および第２ランナー６のそれぞれを、ランナー台１５と、ランナー台１５に固定したランナー軸１８で遊転自在に軸支されるローラー１９とで構成すると、複数のランナー軸１８を備えたランナーに比べて、両ランナー５・６の構造を簡素化できるうえ、下り傾斜面１１ａ・１２ａを昇降する際のローラー１９の姿勢変化がないので、両ランナー５・６を円滑に開閉走行できる。
【発明を実施するための最良の形態】
【００２４】
（実施例）  図１ないし図８は本発明に係る閉じ支援装置を適用した一枚構造の引戸の実施例を示す。この種の引戸はウォークインクロゼットや、収納室の出入口などに適用される。図２において符号１は戸パネル、２は上側のガイドレール、３は床面側のガイドレールである。戸パネル１の下端両隅には、床面側のガイドレール３で移行案内される振止め具４が装着してある。戸パネル１の上面両端には、上側のガイドレール２に沿って移行案内される第１ランナー（ランナー）５と第２ランナー（ランナー）６が装着してある。符号７はエアーダンパー、８は戸パネル１を開閉操作するための把手である。
【００２５】
図３においてガイドレール２は、下向きに開口する断面Ｃ字状のアルミニウム条材からなり、その下端前側の支持壁１０で第１レール（レール）１１を支持し、下端後側の支持壁１０で第２レール（レール）１２を支持している。第１レール１１は先の第１ランナー５を転動案内し、第２レール１２は先の第２ランナー６を転動案内する。そのために、第１レール１１は、閉じ位置に位置する戸パネル１の閉じ端寄りから開放端寄りにわたって配置し、第２レール１２は閉じ位置に位置する戸パネル１の開放端の近傍から、戸枠の開放端寄りにわたって配置する。ガイドレール２の内部上方には前後一対の補助レール１３が突設してある。
【００２６】
第１・第２の各レール１１・１２はそれぞれプラスチック条材を素材にして形成してあり、その閉じ端側に下り傾斜面１１ａ・１２ａを備えている。開放端側には一方のローラー１９を落ち込ませるための凹部１４が形成してある（図４および図７参照）。戸パネル１を全開放した状態においては、ローラー１９が凹部１４に落ち込むことにより開放状態を保持できるので、別途キャッチ機構を設ける必要がなく、その分だけ引戸の構造を簡素化できる。この実施例における下り傾斜面１１ａ・１２ａの左右長さは１５０mmである。
【００２７】
図５および図６において第１ランナー５は、角ブロック状のランナー台１５と、ランナー台１５に突設した軸１６で揺動自在に軸支されるローラー枠１７と、ローラー枠１７の両端にローラー軸１８を介して遊転自在に軸支される左右一対のローラー１９と、ランナー台１７に固定されて左右一対の振止めローラー（振止め体）２０を支持する振止め枠２１などで構成する。第１ランナー５は、戸パネル１に装着固定される連結ユニット９に対してランナー軸２２を介して連結してあり、必要時には第１ランナー５と連結ユニット９とを、戸パネル１から抜き外すことができる。ランナー台１５、ローラー１９、および振止めローラー２０はプラスチック成形品からなり、ローラー枠１７と振止め枠２１はプレス金具からなる。振止めローラー２０は、前後の支持壁１０と接当して第１ランナー５の蛇行を防止する。
【００２８】
第２ランナー６は、第１ランナー５と同様に構成するが、その振止め枠２１を利用してエアーダンパー７に連結する点が異なる。具体的には、図７に示すように振止め枠２１の一側上部に逆Ｌ字状の連結爪２４を突設し、連結爪２４をシリンダー２５の端プラグ２８に設けた連結枠２９に対して上下動可能に連結する。図４に示すように、第１ランナー５と第２ランナー６とは、前後逆向きの姿勢で各レール１１・１２に吊持してある。
【００２９】
図１においてエアーダンパー７は、シリンダー２５、ピストン２６、およびピストンロッド２７を備えており、ピストンロッド２７がシリンダー２５内へ退縮するとき、ピストン２６で押し出される空気の出口通路を絞ることによって、戸パネル１の閉じ動作を制動する。シリンダー２５の一端には端プラグ２８が固定してあり、その内部に先の出口通路を絞るバルブが組み込んである。バルブの絞り量は、そのねじ込み量を調整することで変更できる。端プラグ２８の外側端には連結枠２９が突設してあり、連結枠２９に形成した連結穴３０に連結爪２４を上下動自在に連結している（図７参照）。
【００３０】
ガイドレール２内でエアーダンパー７の姿勢が軸心回りに変化するのを防ぐために、ピストンロッド２７の先端と、シリンダー２５の両端のそれぞれに、スライドブロック３２〜３４を固定している。各スライドブロック３２〜３４の前後には、補助レール１３でスライド案内される一対の溝３５が設けてある。図８に示すように、ピストンロッド２７の先端と、シリンダー２５の左端に装着されるスライドブロック３２・３３は、それぞれ独立したプラスチック成形品として形成するが、シリンダー２５の右端に設けられるスライドブロック３４は、先の端プラグ２８と一体に成形してある（図７参照）。
【００３１】
図１に示すようにピストンロッド２７の突端には、スライドブロック３２と磁石３９とがビス３８で共締め固定してあり、この磁石３９で吸着されるＬ字状の鉄片３７が、ガイドレール２の内部の閉じ端寄りに固定してある。閉じ位置にある戸パネル１を開放操作するとき、ピストンロッド２７は磁石３９を介して鉄片３７に吸着保持される。シリンダー２５が開放方向へ移動操作されてピストンロッド２７が限界位置まで伸出すると、磁石３９が鉄片３７から分離し、シリンダー２５とピストンロッド２７とはその状態のままで戸パネル１に同行移動する。
【００３２】
戸パネル１は開閉ストロークの殆どの分において、通常の引戸と同様に開閉操作できるが、戸パネル１を任意の開放位置から閉じ端寄りまで閉じ操作すると、第１・第２の両ランナー５・６が、第１・第２の各レール１１・１２に設けた下り傾斜面１１ａ・１２ａ上に達した時点で、戸パネル１が自重で閉じ移動し始める。このとき、ピストンロッド２７の先端に設けた鉄片３７が磁石３９に接当する。このときの戸パネル１の開放位置が、この実施例でいう所定位置である。
【００３３】
戸パネル１が所定位置を越えて閉じ側へ移動すると、ピストンロッド２７およびピストン２６がシリンダー２５内へ退縮して、シリンダー２５内の空気を圧縮し制動力を発揮する。そのため、戸パネル１はエアーダンパー７の空気放出量に見合う速度で閉じ位置までゆっくりと、しかし確実に移動する。つまり、戸パネル１が所定位置を越えた時点で、以後は戸パネル１を閉じ操作する必要もなく自動的に閉じ操作できる。閉じ位置に移動した戸パネル１および両ランナー５・６は、下り傾斜面１１ａ・１２ａの縦成分の分だけ下方移動する。この下方移動を連結爪２４が連結枠２９に対して下方移動することで吸収する。したがって、エアーダンパー７が上下動することはない。同様に、振止め具４は戸パネル１の下降移動を、ケース内に設けたばね４ａの圧縮変形で吸収する（図３参照）。
【００３４】
戸パネル１が大きな力で乱暴に閉じ操作されることがある。その場合には、シリンダー２５内の空気の圧縮圧力が上昇して、戸パネル１の閉じ力に反発する。そのため、戸パネル１はエアーダンパー７によって制動された状態で閉じ側へゆっくりと移動させることができ、戸枠に衝突することはない。閉じ状態の戸パネル１を開放操作するときは、両ランナー５・６が各レール１１・１２の下り傾斜面１１ａ・１２ａの上を転動しながら上る。この時の操作力は、ばねの張力を利用して戸パネルを閉じ操作する従来の閉じ支援装置に比べて充分に小さいので、軽快に戸パネル１を開放操作でき、通常の引戸と同様に開閉操作を円滑に行える。所定位置を越えて開放操作した戸パネル１は、任意の開放位置に位置保持できる。
【００３５】
図９は第１・第２の両ランナー５・６の別実施例を示す。そこでは、ランナー台１５と、ランナー台１５でローラー軸１８を介して遊転自在に軸支される１個のローラー１９と、左右一対の振止めローラー２０とで各ランナー５・６を構成している。このように、各ランナー５・６を単輪構造にすると、各ランナー５・６が下り傾斜面１１ａ・１２ａ上を転がる場合のローラー１９の姿勢変化がないうえ、ランナー構造を簡素化してその分だけコストを削減できる。
【００３６】
上記の実施例では、第１ランナー５および第２ランナー６を、第１レール１１および第２レール１２で、それぞれ片持ち状に吊持したが、両ランナー５・６は各レール１１・１２で両持ち状に吊持することができる。その詳細を図１０〜図１７に示す。
【００３７】
図１０、図１１および図１３に示すように、第１ランナー５は、ブロック状のランナー台１５と、ランナー台１５を前後に貫通するローラー軸１８と、同軸１８で遊転自在に軸支される前後一対のローラー１９と、ランナー台１５とローラー１９との間に介装されるカラー４１などで、一軸二輪構造のランナーとして構成する。上記の実施例におけるローラー枠１７、振止めローラー２０、および振止め枠２１は、構造を簡素化するために省き、ランナー台１５が振止め機能を発揮する構造とした。ランナー軸２２は板材からなり、ローラー軸１８を利用してランナー台１５に組み付けてある。
【００３８】
図１２および図１４に示すように、第２ランナー６は、基本的に第１ランナー５と同様に構成するが、ランナー台１５の一側に突設した台上に、連結爪２４に相当する連結軸４２を一体に形成する点と、カラー４１を備えておらず、第１ランナー５のローラー１９の前後間隔に比べて、第２ランナー６のローラー１９の前後間隔がより小さく設定してある点とが異なる。連結軸４２は、シリンダー２５の端プラグ２８に設けた連結枠２９に対して上下動可能に連結される。
【００３９】
上記の各ランナー５・６を両持ち状に吊持するために、ガイドレール２内における第１ランナー５のローラー１９の転動面と、第２ランナー６のローラー１９の転動面とを前後にずらしている。詳しくは、図１５および図１６に示すように、前後の支持壁１０の内面それぞれに、第１レール１１と第２レール１２をレール長手方向へ隣接する状態で配置して、両レール１１・１２の上面を連続させる。そのうえで、第１レール１１と第２レール１２との下り傾斜面１１ａ・１２ａの形成位置を前後にずらしている。
【００４０】
第１レール１１においては、第１ランナー５のローラー１９の大きな前後間隔に対応して、ガイドレール２の前壁あるいは後壁と隣接する第１レール１１の前側、または後側に下り傾斜面１１ａを形成している。これに対して、第２レール１２においては、第２ランナー６のローラー１９の前後間隔が小さいので、前後一対の第２レール１２の対向面に下り傾斜面１２ａを形成している。このように、各レール１１・１２の下り傾斜面１１ａ・１２ａの位置が前後にずらしてあると、戸パネル１の開放移動の伴って、第１ランナー５のローラー１９が第２レール１２の上面側へ乗り移るとき、ローラー１９が第２レール１２側の下り傾斜面１２ａに落ち込むのを防いで、戸パネル１を全開放できる。
【００４１】
図１０に示すようにこの実施例では、シリンダー２５の両端に設けたスライドブロック３３・３４を、ガイドレール２の上壁内面に設けた補助レール１３で移行案内している。ピストンロッド２７を支持するスライドブロック３２は省略した。さらに、補助レール１３を利用して第１マグネット４４をガイドレール２の側に固定し、ピストンロッド２７の先端に第２マグネット４５を固定している。
【００４２】
第１マグネット４４は、ホルダー４６と、ホルダー４６内に埋設固定される磁石４７と、ホルダー４７の第２マグネット４５との吸着面に配置されるクッション体４８などで構成してある。第２マグネット４５は、丸筒状のホルダー５０と、円盤状の磁石５１とからなる。第１・第２の両マグネット４４・４５が互いに吸着しあうことにより、ピストンロッド２７を吸着保持できる。クッション体４８は、両マグネット４４・４５が吸着するときの、衝突音の発生を防ぐために設けてある。
【００４３】
この実施例においては、先の実施例における床面側のガイドレール３と、ユニット部品からなる振止め具４を省略した。その代りに、縦軸回りに回転自在なガイドローラ５３を床面に設け、戸パネル１の下端面に形成した溝５４をガイドローラ５３で移行案内して、戸パネル１の前後方向への振れや蛇行を規制した。先に説明したように、各ランナー５・６のランナー台１５も、戸パネル１の振れや蛇行を規制することに役立っている。
【００４４】
上記のように、各ランナー５・６を一軸二輪構造にすると、各ランナー５・６が下り傾斜面１１ａ・１２ａ上を転がる場合のローラー１９の姿勢変化がないうえ、ランナー構造を簡素化してその分だけコストを削減できる。また、第１ランナー５および第２ランナー６を、第１レール１１および第２レール１２で、それぞれ両持ち状に吊持するので、開閉操作時に各ランナー５・６が蛇行するのを確実に防止して、戸パネル１の開閉をさらに軽快に行うことができる。他の構造、および各部材の動きや動作タイミングは、先の実施例と同じであるので、同じ部材に同じ符号を付してその説明を省略する。
【００４５】
上記の実施例以外に、本発明の閉じ支援装置は、複数枚の戸パネル１で構成される引戸にも適用できる。上記の実施例では、ガイドレール２の前後に第１・第２の各レール１１・１２を分離配置して、第１・第２の各ランナー５・６を片持ち状に吊持したが、その必要はない。例えば、ガイドレール２の内面上下に前後一対ずつの支持壁１０を設けて、上下の支持壁１０のそれぞれで各レール１１・１２を前後一対ずつ支持すると、ランナー台１５の前後に設けたローラー１９を各レール１１・１２で両持ち状に支持することができる。
【００４６】
図１０ないし図１７の実施例においては、ガイドレール２内における第１ランナー５のローラー１９の転動面をレール断面の外々に、第２ランナー６のローラー１９の転動面をレール断面の内々にそれぞれ配置して、各ランナー５・６のローラー１９の前後間隔を異ならせて、各ローラー転動面を前後にずらしたがその必要はない。例えば、第１ランナー５のローラー１９の転動面をレール断面の外と内に、第２ランナー６のローラー１９の転動面をレール断面の内と外にそれぞれ交互に配置することにより、各ローラー転動面を前後にずらすことができる。その場合には、前後一対の第１レール１１と、前後一対の第２レール１２のそれぞれを共通部品化することができる。
【００４７】
第１・第２の各レール１１・１２はそれぞれ、２個または２個以上の部品で構成することができる。例えば、下り傾斜面１１ａ・１２ａの部分だけを１個の部品で構成し、他の部分をプラスチック条材で形成して、それぞれを支持壁１０に締結固定する。下り傾斜面１１ａ・１２ａは直線状の傾斜面で形成する必要はなく、緩やかに湾曲する突弧面や凹弧面で形成することができる。
【００４８】
開放位置における戸パネル１と床面との間には、下り傾斜面１１ａ・１２ａを下降するのに必要な隙間が設けられるが、この隙間から光や音が洩れるのを防ぐためにモヘアや、ゴム膜などの遮蔽材を戸パネル１の下面に装着することができる。その場合には、戸パネル１が下り傾斜面１１ａ・１２ａを下降するときの動作を利用して、遮蔽材を床面に接床させることができるので、遮蔽材を接床させるための機構を設ける必要がなく、その分だけ遮蔽材を備えた引戸構造を簡素化できる。
【図面の簡単な説明】
【００４９】
【図１】閉じ支援装置の縦断正面図である。
【図２】引戸の正面図である。
【図３】図１におけるＡ−Ａ線断面図である。
【図４】ランナーの支持構造を示す横断平面図である。
【図５】第１ランナーと第１レールを示す縦断正面図である。
【図６】第１ランナーの分解斜視図である。
【図７】第２ランナーの一部破断正面図である。
【図８】図１におけるＢ−Ｂ線断面図である。
【図９】ランナーの別の実施例を示す縦断正面図である。
【図１０】別の実施例に係る閉じ支援装置の縦断正面図である。
【図１１】第１ランナーと第１レールを示す縦断正面図である。
【図１２】第２ランナーと第２レールを示す縦断正面図である。
【図１３】図１０におけるＣ−Ｃ線断面図である。
【図１４】図１０におけるＣ−Ｄ線断面図である。
【図１５】第１レールと第２レールの分解斜視図である。
【図１６】ランナーの支持構造を示す横断平面図である。
【図１７】引戸の正面図である。
【符号の説明】
【００５０】
１  戸パネル
２・３  ガイドレール
５  第１ランナー
６  第２ランナー
７  エアーダンパー
１１  第１レール
１１ａ  第１レールの下り傾斜面
１２  第２レール
１２ａ  第２レールの下り傾斜面
【図１】
2006161538.tif 000003
【図２】
2006161538.tif 000004
【図３】
2006161538.tif 000005
【図４】
2006161538.tif 000006
【図５】
2006161538.tif 000007
【図６】
2006161538.tif 000008
【図７】
2006161538.tif 000009
【図８】
2006161538.tif 000010
【図９】
2006161538.tif 000011
【図１０】
2006161538.tif 000012
【図１１】
2006161538.tif 000013
【図１２】
2006161538.tif 000014
【図１３】
2006161538.tif 000015
【図１４】
2006161538.tif 000016
【図１５】
2006161538.tif 000017
【図１６】
2006161538.tif 000018
【図１７】
2006161538.tif 000019